(57)【要約】【課題】他室に設置されている換気装置等に接続されている各々配線および電源の配線を、本体の制御部の各々端子に正しく接続することができることを目的とする。【解決手段】循環用ファン４にて浴室１から吸い込んだ空気を加熱手段５を介して再び浴室１に吹き出す循環風路６と、換気用ファン７にて浴室１および浴室１以外の他室の空気を吸い込んで屋外８に排出する換気風路９とを箱状の本体３内に形成し、本体３の外壁に複数の端子１７ａ、１７ｂ、１７ｃを設けた制御部１８を設け、端子１７ａ、１７ｂ、１７ｃに複数の他室に設けられている換気装置等から配線１９、２０および電源の配線２１を各々接続し、複数の端子１７ａ、１７ｂ、１７ｃの少なくとも１つを、他の端子より位置をずらしたことにより、目視あるいは手探りでずらした端子を確認できるので、各々端子に正しく確実に配線を接続することができる浴室換気乾燥機を提供できる。【選択図】図１
2010038428.tif 000002
【特許請求の範囲】
【請求項１】
循環用ファンにて浴室から吸い込んだ空気を加熱手段を介して再び前記浴室に吹き出す循環風路と、換気用ファンにて前記浴室および前記浴室以外の他室の空気を吸い込んで屋外に排出する換気風路とを箱状の本体内に形成し、前記本体の外壁に複数の端子を設けた制御部を設け、前記端子に前記複数の他室に設けられている換気装置等から配線および電源の配線を各々接続する浴室換気乾燥機であって、前記複数の端子の少なくとも１つを、他の端子より位置をずらしたことを特徴とする浴室換気乾燥機。
【請求項２】
少なくともずらした１つの端子を、電源の配線を接続することを特徴とする請求項１記載の浴室換気乾燥機。
【請求項３】
少なくともずらした１つの端子を、電源の配線側にずらすことを特徴とする請求項２記載の浴室換気乾燥機。
【発明の詳細な説明】
【技術分野】
【０００１】
本発明は、浴室の天井裏に本体を埋め込んで設置され、浴室の換気をするとともに浴室以外の他室の換気もする換気用ファンを備えた浴室換気乾燥機に関する。
【背景技術】
【０００２】
従来、この種の浴室換気乾燥機としては、浴室に面して吸込口と吹出口を有し、内部に熱交換器と循環ファンを設けた循環ボックスと、脱衣室に面した吸込口および屋外に連通した排気口を有し内部に換気ファンを設けた換気ボックスをダンパを介して連通させ、循環モーター、ステッピングモーターおよび換気モーターを駆動する電装箱を換気ボックスの外壁に設けられたものがある（例えば、特許文献１参照）。
【特許文献１】特開２００４−４４８６６号公報
【発明の開示】
【発明が解決しようとする課題】
【０００３】
このような従来の浴室換気乾燥機では、例えば他室に設置されている換気装置等に接続されている各々配線および電源の配線を、本体の電装箱すなわち制御部の各々端子に接続する場合、しっかり表示されていないと誤って接続されてしまうおそれがあるという課題がある。
【０００４】
本発明は、このような従来の課題を解決するものであり、他室に設置されている換気装置等に接続されている各々配線および電源の配線を、本体の制御部の各々端子に確実に正しく接続することができる浴室換気乾燥機を提供することを目的とする。
【課題を解決するための手段】
【０００５】
本発明の浴室換気乾燥機は、上記目的を達成するために、循環用ファンにて浴室から吸い込んだ空気を加熱手段を介して再び前記浴室に吹き出す循環風路と、換気用ファンにて前記浴室および前記浴室以外の他室の空気を吸い込んで屋外に排出する換気風路とを箱状の本体内に形成し、前記本体の外壁に複数の端子を設けた制御部を設け、前記端子に前記複数の他室に設けられている換気装置等から配線および電源の配線を各々接続する浴室換気乾燥機であって、前記複数の端子の少なくとも１つを、他の端子より位置をずらしたものである。
【０００６】
また、他の手段は、少なくともずらした１つの端子を、電源の配線を接続するものである。
【０００７】
また、他の手段は、少なくともずらした１つの端子を、電源の配線より導入元より離してずらすものである。
【発明の効果】
【０００８】
本発明によれば、循環用ファンにて浴室から吸い込んだ空気を加熱手段を介して再び前記浴室に吹き出す循環風路と、換気用ファンにて前記浴室および前記浴室以外の他室の空気を吸い込んで屋外に排出する換気風路とを箱状の本体内に形成し、前記本体の外壁に複数の端子を設けた制御部を設け、前記端子に前記複数の他室に設けられている換気装置等から配線および電源の配線を各々接続する浴室換気乾燥機であって、前記複数の端子の少なくとも１つを、他の端子より位置をずらしたことにより、目視あるいは手探りでずらした端子を確認できるので、各々端子に正しく確実に配線を接続することができるという効果のある浴室換気乾燥機を提供することができる。
【０００９】
また、少なくともずらした１つの端子を、電源の配線を接続することにより、目視あるいは手探りでずらした電源の端子を確認できるので、電源の端子に正しく確実に電源の配線を接続することができるという効果のある浴室換気乾燥機を提供することができる。
【００１０】
また、少なくともずらした１つの端子を、電源の配線側にずらすことにより、目視あるいは手探りでずらした電源の端子を確認できるので、電源の端子に正しく電源の配線を接続することができるとともに、配線の屈折率を小さくすることができ、断線を防止することができるという効果のある浴室換気乾燥機を提供することができる。
【発明を実施するための最良の形態】
【００１１】
本発明の請求項１記載の浴室換気乾燥機は、循環用ファンにて浴室から吸い込んだ空気を加熱手段を介して再び前記浴室に吹き出す循環風路と、換気用ファンにて前記浴室および前記浴室以外の他室の空気を吸い込んで屋外に排出する換気風路とを箱状の本体内に形成し、前記本体の外壁に複数の端子を設けた制御部を設け、前記端子に前記複数の他室に設けられている換気装置等から配線および電源の配線を各々接続する浴室換気乾燥機であって、前記複数の端子の少なくとも１つを、他の端子より位置をずらしたこととしたものであり、複数の他室に設けられている換気装置等から配線および電源の配線を、目視あるいは手探りで制御部の複数の端子に接続するという作用を有する。
【００１２】
また、少なくともずらした１つの端子を、電源の配線を接続することとしたものであり、電源の配線を、目視あるいは手探りで少なくともずらした１つの端子に接続するという作用を有する。
【００１３】
また、少なくともずらした１つの端子を、電源の配線側にずらすこととしたものであり、電源の配線を、目視あるいは手探りで少なくとも導入元より離してずらした１つの端子に接続するという作用を有する。
【００１４】
以下、本発明の実施の形態について、図面を参照しながら説明する。
【００１５】
（実施の形態１）
図１および図２に示すように、浴室１の天井２裏に挿入して設置され下面が開口した箱状の本体３内に、循環用ファン４にて浴室１から吸い込んだ空気を加熱手段５を介して再び浴室１に吹き出す循環風路６と、換気用ファン７にて浴室１および浴室１以外の他室の空気を吸い込んで屋外８に排出する換気風路９を設けている。
【００１６】
また、本体３の側面には、一例として、トイレ１０、洗面所１１の上面に設置されているトイレ用換気装置１２、洗面所用換気装置１３に接続されているトイレ用ダクト１４、洗面所用ダクト１５、および、屋外８に接続されている屋外用ダクト１６が接続されている。
【００１７】
また、本体３の外壁に、ここでは、本体３の上面に複数の端子１７ａ、１７ｂ、１７ｃを設けた制御部１８を設け、端子１７ａ、１７ｂ、１７ｃに複数の他室に設けられている換気装置等、すなわち、トイレ用換気装置１２、洗面所用換気装置１３からの配線１９、２０および電源の配線２１を各々接続し、複数の端子１７ａ、１７ｂ、１７ｃの少なくとも１つを、他の端子より位置をずらした構成とする。
【００１８】
上記構成により、複数の他室に設けられている換気装置等すなわち、トイレ用換気装置１２、洗面所用換気装置１３からの配線１９、２０および電源の配線２１を、制御部１８の複数の端子１７ａ、１７ｂ、１７ｃに接続する際、本体３をまず床に下ろして、目視でずれている端子を認定して、電源の配線２１を接続し、その他の端子に、トイレ用換気装置１２、洗面所用換気装置１３からの配線１９、２０を接続するようにする。
【００１９】
また、天井２裏で接続する場合、手探りでずれている端子を認定して、電源の配線２１を接続し、その他端子に、トイレ用換気装置１２、洗面所用換気装置１３からの配線１９、２０を接続するようにする。
【００２０】
このように本発明の実施の形態１の浴室換気乾燥機によれば、目視あるいは天井裏等暗所な場所でも手探りでずらした端子を確認できるので、各々端子に正しく配線を接続することができることとなる。
【００２１】
なお、ずらした端子に電源の配線２１を接続するように説明したが、トイレ用換気装置１２、洗面所用換気装置１３からの配線１９、２０のいずれかを接続するようにしてもよいが、電源とは性質が違うので、ずらした端子を電源の配線２１とするのが望ましいと考える。
【００２２】
（実施の形態２）
図３および図４において、図１および図２と同じ構成要素については同じ符号を用い、その説明を省略する。
【００２３】
図３および図４に示すように、少なくともずらした１つの端子を、電源の配線２１側にずらす構成とする。
【００２４】
上記構成により、電源の配線２１を、目視あるいは手探りで少なくとも電源の配線側にずらした１つの端子に接続する。
【００２５】
このように本発明の実施の形態２の浴室換気乾燥機によれば、目視あるいは手探りでずらした電源の端子を確認できるので、電源の端子に正しく電源の配線を接続することができるとともに、本体側に接続する配線の屈折率、すなわち、配線の曲がりを極力小さくすることができので、曲がることによる配線の線が折り曲がってちぎれて断線をすること防止することができることとなる。
【産業上の利用可能性】
【００２６】
本発明の浴室換気乾燥機は、他室に設置されている換気装置等に接続されている各々配線および電源の配線を、本体の制御部の各々端子に確実に正しく接続することができる構成により、天井埋込換気扇や換気システムにも適用できる。
【図面の簡単な説明】
【００２７】
【図１】本発明の実施の形態１の浴室換気乾燥機を示す側面構成図
【図２】同浴室換気乾燥機の制御部を示す拡大図
【図３】本発明の実施の形態２の浴室換気乾燥機の配線を接続する状態を示す斜視図
【図４】同浴室換気乾燥機の制御部を示す拡大詳細図
【符号の説明】
【００２８】
１      浴室
２      天井
３      本体
４      循環用ファン
５      加熱手段
６      循環風路
７      換気用ファン
８      屋外
９      換気風路
１０    トイレ
１１    洗面所
１２    トイレ用換気装置
１３    洗面所用換気装置
１４    トイレ用ダクト
１５    洗面所用ダクト
１６    屋外用ダクト
１７ａ  端子
１７ｂ  端子
１７ｃ  端子
１８    制御部
１９    配線
２０    配線
２１    電源の配線
【図１】
2010038428.tif 000003
【図２】
2010038428.tif 000004
【図３】
2010038428.tif 000005
【図４】
2010038428.tif 000006